(57)【特許請求の範囲】
【請求項１】
乗り物用タイヤ（１６）の所定範囲までの摩耗を検出するための装置であって、
高周波エネルギーの受信に応答して高周波エネルギーを放射する構造（４）を有し、
該構造（４）は帯状部材（１８）と、該帯状部材に離間して設けられた複数のスロット(２０、２２、２４)と、該スロットから突出した複数の融除可能な突出部分（２６、２８）とを有し、
該突出部分が、摩耗したときに高周波エネルギーの受信に応答して前記構造（４）から放射される高周波エネルギーの変化を出力し、
前記乗り物用タイヤが前記所定範囲まで摩耗したときに前記融除可能な部分（２６、２８）が摩耗しているように乗り物タイヤ上に前記構造（４）を取り付ける手段を有し、
前記融除可能な部分が摩耗したときに前記構造（４）から放射される高周波エネルギーの変化を検出する手段（３２）を有することを特徴とする検出装置。
【請求項２】
乗り物用タイヤ（１６）の所定範囲までの摩耗を検出するための装置であって、
高周波エネルギーの受信に応答して高周波エネルギーを放射する構造（４）を有し、
該構造（４）は帯状部材（１８）と、該帯状部材に離間して設けられた複数のスロット(２０、２２、２４)と、該スロットに設けられたダイオード（４２）と、該スロットの幅方向に延在するショート電線（４４）とを有し、
該ダイオード及びショート電線が、乗り物タイヤが所定範囲摩耗したときに高周波エネルギーの受信に応答して前記構造（４）から放射される高周波エネルギーの変化を出力し、
前記乗り物用タイヤが前記所定範囲まで摩耗したときに前記ショート電線が摩耗して切断されているように乗り物タイヤ上に前記構造（４）を取り付ける手段を有し、
前記ショート電線が摩耗したときに前記構造（４）から放射される高周波エネルギーの変化を検出する手段（３２）を有することを特徴とする検出装置。
【請求項３】
乗り物用タイヤ（１６）の所定範囲までの摩耗を検出するための装置であって、
高周波エネルギーの受信に応答して高周波エネルギーを放射する構造（４）を有し、
該構造（４）は帯状部材を有し、該帯状部材は、特定の波長の高周波エネルギーを反射するのに適した材料の複数の細長いストリップ部材（５２、５４）と、該ストリップ部材を接続する接続部材（５６）とを有し、
該接続部材（５６）が、摩耗ないし融解したときに高周波エネルギーの受信に応答して前記構造（４）から放射される高周波エネルギーの変化を出力し、
前記乗り物用タイヤが前記所定範囲まで摩耗したときに前記接続部材（５６）が摩耗ないし融解しているように乗り物タイヤ上に前記構造（４）を取り付ける手段を有し、
前記接続部材（５６）が摩耗ないし融解したときに前記構造（４）から放射される高周波エネルギーの変化を検出する手段（３２）を有することを特徴とする検出装置。
【請求項４】
乗り物用タイヤ（１６）の所定範囲までの摩耗を検出するための装置であって、
高周波エネルギーの受信に応答して高周波エネルギーを放射する構造（４）を有し、
該構造（４）は単一の帯状部材を有し、
該帯状部材には、中央に配置された融除可能な突出したブリッジ部（６２）が設けられ、該ブリッジ部の両端には平坦なストリップ部（６４、６６）が一体的に設けられており、
該ブリッジ部が、摩耗したときに高周波エネルギーの受信に応答して前記構造（４）から放射される高周波エネルギーの変化を出力し、
前記乗り物用タイヤが前記所定範囲まで摩耗したときに前記ブリッジ部が摩耗しているように乗り物タイヤ上に前記構造（４）を取り付ける手段を有し、
前記ブリッジ部が摩耗したときに前記構造（４）から放射される高周波エネルギーの変化を検出する手段（３２）を有することを特徴とする検出装置。
【発明の詳細な説明】
【０００１】
本発明は、部品（item）の状態を検出するための装置および方法に関し、詳細には、限定はしないが、自動車両タイヤの特定の状態を検出するための装置および方法に関する。
【０００２】
自動車両のブレーキ・パッドなどの部品の状態の不良は適切な電気的手段により検出されることはよく知られている。通常、ブレーキ・パッドに過剰な摩耗が生じていることは、単純な回路が閉じることでわかる。ブレーキ・パッドが所定のレベルまで摩耗した場合、１つまたは複数のパッド内に埋め込まれている離間した１対のワイヤが露出する。ブレーキ系が作動しているとき、露出したワイヤが金属製ブレーキ・ディスクに押しつけられ、その結果、電気回路が閉じる。その後、自動車両の運転者に警告を発する適当な手段が作動する。
【０００３】
部品の特定の状態を検出する前述の手段は多くのアプリケーションに適しているが、当該部品を電気回路に接続することが問題になるような状況には都合良く適応させることができない。部品を大きな角速度で回転させる必要があるケース、例えば、自動車両タイヤなどがあてはまる。
【０００４】
自動車両タイヤが動作する過酷な状態のせいで、以前には、特定レベルのタイヤ摩耗を都合良く、信頼度高く、しかも安価に検出するための手段を車両に備えることができなかった。過剰なタイヤ摩耗を示す自動的な手段が自動車両に装備できなかったため、従来は、自動車両の各タイヤのトレッドを頻繁に目視点検することでのみ、摩耗しすぎのタイヤをうっかり使用し非常に危険な状態になるのを回避してきた。しかし、このタイプの点検は時間がかかり不便なため、従来から自動車両の利用者、特に個人所有自動車両の利用者がこのタイプの点検を適切に完了することはなかった。そのため、多くの自動車両は運転者が知ることなく危険な状態で運転されている。
【０００５】
部品、特に遠隔環境に置かれている、あるいは過酷な状態に晒されている部品（例えば、自動車両タイヤ）の特定の状態を検出するための装置を実現することが本発明の目的である。
【０００６】
また、便利で、信頼高く、安価な方法で部品の特定の状態を検出するための装置を実現することも本発明の目的である。
【０００７】
メンテナンスを必要としない検出装置を実現することも本発明の他の目的である。
【０００８】
部品、特に遠隔環境に置かれている、あるいは過酷な状態に晒されている部品（例えば、自動車両タイヤ）の特定の状態を検出する方法を実現することも本発明の目的である。
【０００９】
さらに、便利で、信頼高く、安価な方法で部品の特定の状態を検出する方法を実現することも本発明の目的である。
【００１０】
本発明の第１の態様では、部品の特定の状態を検出するための装置を実現し、前記装置は、高周波エネルギーを放射するための構造であって、高周波エネルギーの受信に応答して放射するための構造を備え、前記構造は、使用時に、前記部品が前記特定の状態に達したことに応答して第２の構成に変更される第１の構成を有し、前記構成の変更により、前記構造から放射された高周波エネルギーの検出可能な差を発生する。
【００１１】
本発明による装置を適切に使用することで特定のレベルのタイヤ摩耗を検出できる。例えば、高周波エネルギーを放射するための構造をタイヤ製造工程でゴムタイヤのトレッドに埋め込むことができる。構造が配置されるトレッドの深さにより、検出が行われるまでに許容されるタイヤ摩耗のレベルが決まる。タイヤのトレッドが十分摩耗し本発明の前記構造が露出した後、さらに使用してタイヤが摩耗すると前記構造が路面に繰り返し当たり、それ自体が摩耗する。そのため、特定のタイヤ状態（例えば、過剰な摩耗）になると前記構造は第１の構成から第２の構成に変わる。前記構造の構成変更の結果、高周波エネルギーの受信に対する前記構造の特性応答も変わる。こうして、本発明による装置が装備されているタイヤが過剰な摩耗を生じるかどうかは、高周波エネルギーを前記タイヤに定期的に照射し、タイヤのトレッドに埋め込まれた前記構造からの応答で放射される高周波エネルギーを監視することにより判別できる。
【００１２】
前記構造は、使用中に前記部品が前記特定の状態に達したときに融除されるように適合された部材を備えるのが好ましい。さらに、前記構造は融除されるように適合された前記部材により互いに接続されている離間した２つの部材を備えるのが好ましい。前記構造は、使用中に融除されるように適合された複数の部材を備えることができる。特に、前記複数の部材のうちの少なくとも１つは、前記部品が前記複数の部材のうちの別の部材が使用中に融除されたときに達する状態とは異なる状態に達したときに使用中に融除されるように適合することが望ましい。前記構造は単一の構成要素とすることができる。
【００１３】
さらに、前記構造は２つの細長い要素を備え、要素の第１の端部は互いに接続され、要素の第２の端部は互いに接続され、各要素は融除されるように適合された部材により他方に接続されている離間した２つの部材を備えることが好ましい。部材は、前記構造の残部から突き出ている前記部材によって削摩されるように適合できる。別法として、部材は、前記構造の残部のとは異なる材料の前記部材によって削摩されるようにも適合できる。削摩されるように適合された部材は、バイメタル・ストリップでよい。
【００１４】
前記構造は、少なくとも１つの細長いスロットを備えるのが好ましい。さらに、前記構造は細長い形状が好ましい。第１の構成では、前記構造は、少なくとも１つのスロットの一方の側から他方の側へ延びる１つまたは複数のブリッジ要素を備えるのが理想的である。各ブリッジ要素は突き出て、スロットを画定するスペースを空きにするのが好ましい。削摩されるように適合されたブリッジ要素または部材は、バイメタル・ストリップでよい。線形または非線形ミキサによって、少なくとも１つのスロットの一方の側を他方の側に接続することができる。
【００１５】
本発明の第２の態様では、部品の特定の状態を検出する方法を提供し、前記方法は、部品の特定の部品状態を検出するために上で定義した装置を前記部品に備えるステップと、高周波エネルギーを前記装置に送信し、前記装置から放射された高周波エネルギーを受信するステップと、前記特定状態に達したことに対応して放射された高周波エネルギーを監視するステップを含む。
【００１６】
そのため、本発明の装置および方法は、注目する部品が遠隔環境に置かれていたり、過酷な状態に晒されている場合であっても、特定の部品状態を自動検出できる従来技術に勝っている。本発明の装置は、単純で受動的な方法で機能する。したがって、前記装置は製造するのに費用がかからず、監視対象の部品内に簡単に組み込める。前記装置の動作は単純であるため、信頼性も高い。
【００１７】
さらに、本発明の装置は受動モードで動作するため、前記装置はメンテナンスを必要としない。他の感知手段とは異なり、本発明の装置では、バッテリを装着して定期的に交換する必要もない。
【００１８】
添付図面を参照しながら本発明の実施形態について説明する。
【００１９】
本発明の第１の実施形態４を備える自動車両のホイール・アッセンブリ２は添付図面の図１に示されている。ホイール・アッセンブリ２は、車体１０のホイール・アーチ８の下に配置されているホイール６を備える従来型のものであり、ホイール６はアクスル１２および適切なサスペンション・システム（図示せず）により車体１０に取り付けられている。第１の実施形態４は、ホイール６に装備されているタイヤ１６の過剰な摩耗を検出するのに適したデバイスである。
【００２０】
本発明の第１の実施形態４は、タイヤ１６のトレッドが付いているゴム部分１４内に配置されている。タイヤ１６内に配置された第１の実施形態４の拡大断面図を図２に示す。第１の実施形態４はタイヤ１６の全幅にわたって延び、タイヤ・トレッドのいくつかの間隔のあいている領域内のタイヤ状態を検出することができることがわかる。タイヤ１６が使用中のとき、タイヤ・トレッドの前記領域は路面に接触し、特に過剰な摩耗を生じやすい。それとは別に、第１の実施形態４はタイヤ１６内で円周状に延びるように配列することができる。
【００２１】
タイヤ１６内の場所の前の第１の実施形態４の２つの図面は図３と図４に示されている。これらの図は、第１の実施形態４の一般に平坦で細長いという性質を示している。第１の実施形態４は、薄くて細い材料のストリップの形を取る物体１８によって定義される。物体１８は、高周波エネルギーを受信、放射するのに適した材料（例えば、金属材料）から製造できる。物体１８には、３つの細長いスロット２０、２２、２４が備わっている。３つの細長いスロット２０、２２、２４は互いに同一であり、物体１８の厚みを通って延びる。細長いスロット２２の１つは、物体１８の長さに沿う中央部に配置されるが、残り２つの細長いスロット２０、２４は物体１８の反対側の端部部分に配置されている。スロット２０、２２、２４はそれぞれ、矩形をしている。細長いスロット２０、２２、２４の縦方向の軸は互いに一列に並び、また物体１８の縦軸と一列に並んでいる。
【００２２】
各細長いスロット２０、２２、２４の幅には、２つの縦方向に間隔のあけてあるブリッジ２６、２８が差し渡されている。この配列は、図４に最も明確に示されている。ブリッジ２６、２８はそれぞれ、図３の断面図からわかるように物体１８から突き出ている。この図は、物体１８の縦軸に沿って描かれており、物体１８の上面３０の上に延びる各細長いスロット２０、２２、２４のブリッジ２６、２８を明確に示している。ブリッジ２６、２８はそれぞれ、前記ブリッジ２６、２８が路面と繰り返し接触するときに容易に摩耗する十分に柔らない材料のもので製造されている。ブリッジ２６、２８の材料は、物体１８から放射される高周波エネルギーに影響を与える種類のものでもある。
【００２３】
第１の実施形態４は、タイヤ１６のトレッドが付いているゴム部分１４内に完全にカプセル化されており、図２に示されているとおりである。第１の実施形態４は、タイヤ１６の成形時にこの位置に配置される。第１の実施形態４は、その物体１８の縦軸がトレッドの付いている部分１４の幅にわたって置かれ、ブリッジ２６、２８および物体１８の上面３０がアクスル１２から放射状に外を向くように配列されている。物体１８の上面３０は、タイヤ・トレッドの最小許容可能深さに対応する位置に置かれる。
【００２４】
タイヤ１６が摩耗し、トレッドの付いているゴム部分１４の厚さが減少すると、浮き上がっているブリッジ２６、２８が露出する。この段階で、トレッド部分１４の摩耗状態は許容可能な範囲に保たれる。しかし、タイヤ１６をさらに使用すると、タイヤがさらに摩耗するだけでなく、ブリッジ２６、２８の１つまたは複数も摩耗する。タイヤ１６がトレッドの最小許容可能深さまで（つまり、物体１８の上面３０の深さまで）摩耗したら、この摩耗領域に置かれているブリッジ２６、２８は完全に崩壊し、一部または全部ブリッジがなくなっている細長いスロットを１つまたは複数残すだけである。過剰に摩耗したタイヤを使用した後の第１の実施形態４の平面図を図５に示す。この図は、完全にブリッジがなくなっている中央部の細長いスロット２２を示している。そのような構成は、空気圧が高すぎるタイヤが過剰に摩耗することで生じることがある。
【００２５】
第１の実施形態４に装備されるタイヤの状態は、遠隔地から第１の実施形態４に問い合わせを行い、ブリッジ２６、２８が崩壊したかどうかを評価することで決定できる。ブリッジ２６、２８が存在すると高周波エネルギーの受信および放射を物体１８が行い得るかどうかに影響が出、前述の問い合わせは適切な高周波エネルギーを送信し、第１の実施形態４による応答として放射される高周波エネルギーを監視することで容易に実行できる。これは、適切なアンテナと送信機／受信機回路を組み込んでいる問い合わせデバイス３２を使用して実現できる。問い合わせデバイス３２は、タイヤ１６の上のホイール・アーチ８内に取り付けられている（図１を参照）。類似の問い合わせデバイスを路面内に取り付けることもできる（例えば、ガソリン・スタンドのフォアコート）。問い合わせデバイス３２の他の適当な設置場所も、当業者には明白であろう。
【００２６】
問い合わせデバイス３２は、工業科学医療（ＩＳＭ）周波数（つまり、８６８ＭＨｚまたは２．４５ＧＨｚ）で動作するように適合されている。細長いスロット２０、２２、２４の長さは、問い合わせデバイス３２で採用している問い合わせ周波数に整合している。この方法では、ブリッジが外されているスロットは強力な信号を放射するが、ブリッジが架けられているスロットは弱い信号しか放射しない（か、またはまったく信号を放射しない）。したがって、細長いスロット２０、２２、２４の１つまたは複数からブリッジ２６、２８が摩耗したとき、第１の実施形態４は効率よいスロット・アンテナとして機能する。第１の実施形態４から放射される高周波エネルギーの振幅は、ホイールの回転と同期して変化するが、ブリッジが外されているスロットまたはそのそれぞれから放射される信号は、問い合わせデバイス３２により容易に検出でき、自動車両の利用者はタイヤ摩耗の適切な指標を目にすることができる。
【００２７】
必要と考えられる場合には、タイヤに、タイヤ状態によって変化しない基準信号を出す手段を組み込むこともできる。このような手段は、タイヤの使用中に構成変化を受けないようにタイヤに取り付けられた図３および４に示されている装置とすることができる。この方法では、ブリッジが架けられたスロットのリターン信号は常に、ブリッジが外されているスロットのリターン信号との比較に使用できる。
【００２８】
トレッド部分１４の幅にわたる特定の場所のタイヤ摩耗またはトレッド部分１４の特定の深さまでのタイヤ摩耗は、長さの異なる細長いスロットを使用することで検出できる。問い合わせデバイス３２で異なる高周波を使用することにより個々のスロット（および、したがってスロットに隣接するタイヤの状態）について問い合わせることができる。所定の送信周波数の適切なリターン信号を送るのに必要なスロットの形態は当業者でれば明白であろう。
【００２９】
本発明の第１の実施形態４は、トレッドの摩耗以外のタイヤの特定の状態を検出するように適合することができる。例えば、ブリッジ２６、２８は、特定の温度で溶解する材料のものとし、前記特定の温度をタイヤ構造を安全に露出できる最高温度に等しくすることができる。この方法で、特定のタイヤ温度に達したときに、ブリッジ２６、２８の１つまたは複数が融解してきれいな細長いスロットを残し、適切な問い合わせ信号を効率よく戻せるように設計できる。これにより自動車両の利用者に対し、望ましくないタイヤ温度に達したことを示すことができる。その後、適切な改善措置を講じることができる。
【００３０】
本発明のさらに４つの実施形態は、添付図面の図６から１０にその概略が示されている。図解されている第２の実施形態４０（一部図６に示されている）は、図解されている第１の実施形態４（図１から５に示されている）に似ている。第１の実施形態４の場合と同様、第２の実施形態４０は３つの細長いスロット２０、２２、２４を持つ物体１８を備える（図６には中央のスロット２２のみが示されている）。しかし、第１の実施形態４とは対照的に、第２の実施形態４０はダイオード４２を備え、ショート電線４４が各細長いスロット２０、２２、２４の幅に張られている。ブリッジ２６、２８は含まれない。そのため第２の実施形態４０はダイオード・ミキサとして動作する。
【００３１】
第２の実施形態４０の初期構成では、電線４４によりダイオード４２がショートし、適切な高周波エネルギーでの問い合わせ後スロット２０、２２、２４は強力な信号を放射する。しかし、電線４４は、タイヤ摩耗または温度の特定の状態に達した後、破れてもはやダイオード４２をショートすることができなくなるような位置に配置されるか、またはそのような材料から製造される。第２の実施形態４０のこの第２の構成では、１つまたは複数のスロット２０、２２、２４の幅にダイオード４２のみが差し渡されている。よく知られているダイオードの電流対電圧の非線形特性の結果から、第２の実施形態４０は第１の構成で放射されたのとは異なる高周波を第２の構成で放射する。第２の構成で放射された高周波エネルギーは、適切な問い合わせデバイス３２によって容易に検出できる。このため、自動車両の利用者に対し、特定のタイヤ状態になったことを示すことができる。
【００３２】
図解されている第３の実施形態５０が図７に示されている。第３の実施形態５０は、特定の波長の高周波エネルギーを反射するのに適した材料の２つの細長いストリップ５２、５４を備える。２つの細長いストリップ５２、５４は、接続部材５６により接続されている。２つのストリップ５２、５４および接続部材５６が真っ直ぐな細長い部材を形成するよう配列されている。使用時に、第３の実施形態５０は、第１と第２の実施形態４、４０に関して説明したのと類似の方法でタイヤなどの部品に固定されている。特定の部品状態に達したときに、接続部材５６が除去される。この除去は、接続部材５６の磨損または融解の結果生じることがある。第３の実施形態５０の構成はそこで、前記実施形態５０が単一の細長い要素を備える構成から前記実施形態５０が２つの短く離間した細長い要素（つまり、２つの細長いストリップ５２、５４）を備える構成に変化する。第３の実施形態５０から放射される高周波エネルギーの波長はその長さに依存するため、放射エネルギーの検出可能な変化は接続部材５６が除去されたときに発生する。したがって、適切な問い合わせデバイス３２で監視することで、第３の実施形態５０の構成（したがって、部品の状態）を判別し、利用者に知らせることができる。
【００３３】
第４および第５の図解されている実施形態６０、７０を図８〜１０に示す。これら２つの実施形態６０、７０は、第３の実施形態５０を一部修正したものであり、同じ原理に従って機能する。第４の実施形態６０は、中央に配置された盛り上がっている融除可能ななこぶまたはブリッジ部材６２で形成されるように曲げられた材料の単一の細長いストリップを備える。融除ブリッジ部材６２は、第３の実施形態５０の接続部材５６に対応する。ブリッジ部材６２は、２つの細長いストリップ部材６４、６６の間に接続され配置されている。２つの細長いストリップ部材６４、６６およびブリッジ部材６２は、同じ細長い材料の一体になっているストリップから形成される。第３の実施形態５０について説明したように、第４の実施形態６０の構成は、使用時に前記第４の実施形態６０が単一の細長い要素を備える構成から前記第４の実施形態６０が２つの短く離間した細長い要素（つまり、２つの細長いストリップ６４、６６）を備える構成に変化することができる。
【００３４】
第５の実施形態７０は、互いに平行になるように配列され、横材７６、７８で互いに端部のところで接続される２つの細長い要素７２、７４を備える。２つの細長い要素７２、７４は、それぞれ、第４の実施形態６０と同じ構造のものである。したがって、各要素７２、７４は融除可能なブリッジ部材で接続された２つの細長いストリップを備える一体構成要素である。第５の実施形態７０は、適当な材料の板材から細長いストリップを打ち抜き、そうして形成された細長いストリップから細長い穴を打ち抜き、細長いスロットの残部を曲げて２つの融除可能なブリッジ部材を形成することで容易に製造できる。使用中、ブリッジ部材は磨損の結果除去される。
【００３５】
本発明による装置をセンサ・ネットワークに組み込むことができる。このようなシステムでは、本発明の装置に送信される高周波エネルギーをさらに使用して、自動車両用途においてタイヤ圧または温度を測定するための手段となる１つまたは複数の高周波タグを照射することもできる。本発明の装置は一般に部品状態の１回の変化しか検出しないため（例えば、安全レベルの摩耗から危険なレベルの摩耗へのタイヤ状態の変化）、前記装置に送信される高周波エネルギーを他の機器の問い合わせ（およびそれとの一般的な通信）で利用することが望ましい。
【００３６】
本発明は、上で説明した特定の実施形態または方法に限られるわけではない。他の配列および適当な材料も、当業者には明白であろう。例えば、検出対象の部品状態が温度に依存する場合、ショート電線４４、接続部材５６、またはブリッジ２６、２８の代わりにバイメタル・ストリップを使用することもできる。バイメタル・ストリップを特定の温度で曲がるように配列し、それによりその温度で必要な構成変化を引き起こすことができる。さらに、本発明の実施形態では図６に関して上述した非線形ミキサとは反対の線形ミキサを組み込むこともできる。また、複数の周波数（例えば８６８ＭＨｚと２．４５ＧＨｚ）をミキサに同時に適用することも可能である。周波数の組合せ／混合により、検出可能な「差周波数」の放射をミキサから行う。他の変形形態も、当業者には明白であろう。
【図面の簡単な説明】
【図１】  自動車両タイヤ内に装備された本発明の第１の実施形態の概略図である。
【図２】  図１に示されているタイヤの概略部分断面図である。
【図３】  図１および２に示されている本発明の第１の実施形態の概略断面図である。
【図４】  図３に示されている第１の実施形態の概略平面図であり、第１の実施形態は第１の構成で配列されている。
【図５】  図３と４に示されている第１の実施形態の概略平面図であり、第１の実施形態は第２の構成で配列されている。
【図６】  本発明の第２の実施形態の概略部分平面図である。
【図７】  本発明の第３の実施形態の概略側面図である。
【図８】  本発明の第４の実施形態の概略平面図である。
【図９】  第４の実施形態の概略側面図である。
【図１０】  本発明の第５の実施形態の概略平面図である。
【図１】
0003718800.tif 000002
【図２】
0003718800.tif 000003
【図３】
0003718800.tif 000004
【図４】
0003718800.tif 000005
【図５】
0003718800.tif 000006
【図６】
0003718800.tif 000007
【図７】
0003718800.tif 000008
【図８】
0003718800.tif 000009
【図９】
0003718800.tif 000010
【図１０】
0003718800.tif 000011